(57)【要約】【課題】ユーザ個別に使用頻度の高い印刷設定を保持し、その印刷設定を容易に使用できるようにする。【解決手段】印刷制御装置１Ａは、ユーザ操作に応じて印刷装置における印刷に用いる各種設定項目の設定を行う印刷設定部１１と、印刷設定部１１で設定した各種設定項目の設定内容を含む印刷設定情報をユーザごとに印刷設定情報記憶部１５に記憶させ、記憶された印刷設定情報のうち、所定期間内に対応するユーザにより所定回数使用された印刷設定情報に対して設定登録フラグを設定して登録印刷設定情報とする登録を行う印刷設定登録制御部１３と、表示部１６と、登録印刷設定情報から印刷に用いる１つをユーザに選択させるための登録印刷設定選択画面を表示部１６に表示させる表示制御部１４とを備え、印刷設定部１１は、登録印刷設定情報のうちの１つを選択して印刷を行う指示信号が入力された場合、当該登録印刷設定情報を用いて各種設定項目の設定を行う。【選択図】図２
2010181932.tif 000002
【特許請求の範囲】
【請求項１】
印刷装置に接続され、印刷対象の画像データを前記印刷装置に出力して印刷を行わせる印刷制御装置であって、
ユーザ操作に応じて、前記印刷装置における印刷に用いる各種設定項目の設定を行う印刷設定手段と、
前記印刷設定手段で設定した前記各種設定項目の設定内容を含む印刷設定情報を、その設定を行ったユーザごとに印刷設定情報記憶部に記憶させ、前記印刷設定情報記憶部に記憶された前記印刷設定情報のうち、所定期間内に対応するユーザにより所定回数使用された前記印刷設定情報に対して、使用頻度が高いことを示す設定登録フラグを設定して登録印刷設定情報とする登録を行う印刷設定登録制御手段と、
表示手段と、
前記登録印刷設定情報から印刷に用いる１つをユーザに選択させるための登録印刷設定選択画面を前記表示手段に表示させる表示制御手段とを備え、
前記印刷設定手段は、前記登録印刷設定情報のうちの１つを選択して印刷を行う指示信号が入力された場合、当該登録印刷設定情報を用いて前記各種設定項目の設定を行うことを特徴とする印刷制御装置。
【請求項２】
前記表示制御手段は、前記所定期間内に前記所定回数使用された前記印刷設定情報を登録するか否かをユーザに選択させるための登録確認画面を前記表示手段に表示させ、
前記印刷設定登録制御手段は、ユーザ操作に応じて、前記所定期間内に前記所定回数使用された前記印刷設定情報を登録する指示信号が入力された場合に、当該印刷設定情報に使用頻度が高いことを示す設定登録フラグを設定して前記登録印刷設定情報とすることを特徴とする請求項１に記載の印刷制御装置。
【請求項３】
前記印刷設定登録制御手段は、前記所定期間内に対応するユーザにより前記所定回数未満しか使用されていない前記印刷設定情報を前記印刷設定情報記憶部から消去することを特徴とする請求項１または２に記載の印刷制御装置。
【請求項４】
印刷装置と、前記印刷装置に接続され、印刷対象の画像データを前記印刷装置に出力して印刷を行わせる印刷制御装置とを備える印刷システムであって、
前記印刷装置は、
前記印刷制御装置から入力される、印刷に用いる各種設定項目の設定内容を含む印刷設定情報に基づき前記画像データの印刷を行う印刷手段と、
前記印刷設定情報を第１の印刷設定情報記憶部に記憶させ、前記第１の印刷設定情報記憶部に記憶された前記印刷設定情報のうち、第１の所定期間内に第１の所定回数使用された前記印刷設定情報に対して、使用頻度が高いことを示す設定登録フラグを設定して第１の登録印刷設定情報とする登録を行う第１の印刷設定登録制御手段とを備え、
前記印刷制御装置は、
ユーザ操作に応じて、前記印刷装置における印刷に用いる各種設定項目の設定を行う印刷設定手段と、
前記印刷設定手段で設定した前記印刷設定情報を前記画像データとともに前記印刷装置に出力する通信処理手段と、
前記印刷設定情報を、その設定を行ったユーザごとに第２の印刷設定情報記憶部に記憶させ、前記第２の印刷設定情報記憶部に記憶された前記印刷設定情報のうち、第２の所定期間内に対応するユーザにより第２の所定回数使用された前記印刷設定情報に対して、使用頻度が高いことを示す設定登録フラグを設定して第２の登録印刷設定情報とする登録を行う第２の印刷設定登録制御手段と、
表示手段と、
前記第１および第２の登録印刷設定情報から、印刷に用いる１つをユーザに選択させるための登録印刷設定選択画面を前記表示手段に表示させる表示制御手段とを備え、
前記印刷設定手段は、ユーザ操作に応じて、前記第１および第２の登録印刷設定情報から１つを選択して印刷を行う指示信号が入力された場合、選択された前記第１および第２の登録印刷設定情報のうちの１つを用いて前記各種設定項目の設定を行うことを特徴とする印刷システム。
【請求項５】
前記表示制御手段は、前記第２の所定期間内に前記第２の所定回数使用された前記印刷設定情報を登録するか否かをユーザに選択させるための登録確認画面を前記表示手段に表示させ、
前記第２の印刷設定登録制御手段は、ユーザ操作に応じて、前記第２の所定期間内に前記第２の所定回数使用された前記印刷設定情報を登録する指示信号が入力された場合に、当該印刷設定情報に使用頻度が高いことを示す設定登録フラグを設定して前記第２の登録印刷設定情報とすることを特徴とする請求項４に記載の印刷システム。
【請求項６】
前記第１の印刷設定登録制御手段は、前記印刷装置において前記第１の所定期間内に前記第１の所定回数未満しか使用されていない前記印刷設定情報を前記第１の印刷設定情報記憶部から消去し、
前記第２の印刷設定登録制御手段は、前記第２の所定期間内に対応するユーザにより前記第２の所定回数未満しか使用されていない前記印刷設定情報を前記第２の印刷設定情報記憶部から消去することを特徴とする請求項４または５に記載の印刷システム。
【請求項７】
前記第１の印刷設定登録制御手段は、前記第１の印刷設定情報記憶部に記憶された前記印刷設定情報のうち、前記印刷制御装置により印刷を行ったすべてのユーザの合計で前記第１の所定期間内に前記第１の所定回数使用され、かつ所定数以上のユーザにより使用された前記印刷設定情報に対して、使用頻度が高いことを示す設定登録フラグを設定して第１の登録印刷設定情報とすることを特徴とする請求項４乃至６のいずれか１項に記載の印刷システム。
【請求項８】
前記印刷制御装置を複数備え、
前記第１の印刷設定登録制御手段は、前記第１の印刷設定情報記憶部に記憶された前記印刷設定情報のうち、複数の前記印刷制御装置により印刷を行ったすべてのユーザの合計で前記第１の所定期間内に前記第１の所定回数使用され、かつ所定数以上のユーザにより使用された前記印刷設定情報に対して、使用頻度が高いことを示す設定登録フラグを設定して第１の登録印刷設定情報とすることを特徴とする請求項４乃至６のいずれか１項に記載の印刷システム。
【請求項９】
前記印刷制御装置を複数備え、
前記第１の印刷設定登録制御手段は、前記第１の印刷設定情報記憶部に記憶された前記印刷設定情報のうち、複数の前記印刷制御装置の合計で前記第１の所定期間内に前記第１の所定回数使用され、かつ所定数以上の前記印刷制御装置で使用された前記印刷設定情報に対して、使用頻度が高いことを示す設定登録フラグを設定して第１の登録印刷設定情報とすることを特徴とする請求項４乃至６のいずれか１項に記載の印刷システム。
【請求項１０】
印刷装置に接続され、印刷対象の画像データを前記印刷装置に出力して印刷を行わせる印刷制御装置として情報処理装置を機能させるプリンタドライバプログラムであって、
ユーザ操作に応じて、前記印刷装置における印刷に用いる各種設定項目の設定を行う印刷設定手段と、
前記印刷設定手段で設定した前記各種設定項目の設定内容を含む印刷設定情報を、その設定を行ったユーザごとに印刷設定情報記憶部に記憶させ、前記印刷設定情報記憶部に記憶された前記印刷設定情報のうち、所定期間内に対応するユーザにより所定回数使用された前記印刷設定情報に対して、使用頻度が高いことを示す設定登録フラグを設定して登録印刷設定情報とする登録を行う印刷設定登録制御手段と、
前記登録印刷設定情報から印刷に用いる１つをユーザに選択させるための登録印刷設定選択画面を表示部に表示させる表示制御手段として前記情報処理装置を機能させ、
前記印刷設定手段は、前記登録印刷設定情報のうちの１つを選択して印刷を行う指示信号が入力された場合、当該登録印刷設定情報を用いて前記各種設定項目の設定を行うことを特徴とするプリンタドライバプログラム。
【請求項１１】
前記表示制御手段は、前記所定期間内に前記所定回数使用された前記印刷設定情報を登録するか否かをユーザに選択させるための登録確認画面を前記表示部に表示させ、
前記印刷設定登録制御手段は、ユーザ操作に応じて、前記所定期間内に前記所定回数使用された前記印刷設定情報を登録する指示信号が入力された場合に、当該印刷設定情報に使用頻度が高いことを示す設定登録フラグを設定して前記登録印刷設定情報とすることを特徴とする請求項１０に記載のプリンタドライバプログラム。
【請求項１２】
前記印刷設定登録制御手段は、前記所定期間内に対応するユーザにより前記所定回数未満しか使用されていない前記印刷設定情報を前記印刷設定情報記憶部から消去することを特徴とする請求項１０または１１に記載のプリンタドライバプログラム。
【請求項１３】
前記表示制御手段は、前記印刷装置に登録された前記印刷設定情報である印刷装置側登録印刷設定情報、および前記登録印刷設定情報から印刷に用いる１つをユーザに選択させるための前記登録印刷設定選択画面を前記情報処理装置の表示部に表示させ、
前記印刷設定手段は、ユーザ操作に応じて、前記印刷装置側登録印刷設定情報および前記登録印刷設定情報のうちの１つを選択して印刷を行う指示信号が入力された場合、選択された前記印刷装置側登録印刷設定情報および前記登録印刷設定情報のうちの１つを用いて前記各種設定項目の設定を行うことを特徴とする請求項１０乃至１２のいずれか１項に記載のプリンタドライバプログラム。
【発明の詳細な説明】
【技術分野】
【０００１】
本発明は、印刷装置に印刷を行わせる印刷制御装置、印刷システム、およびプリンタドライバプログラムに関する。
【背景技術】
【０００２】
印刷装置による印刷を行う際、ユーザは、印刷時の出力用紙サイズ、印刷部数等の項目についての設定を行う。この印刷設定を行う際のユーザの手間を軽減するため、使用頻度の高い設定内容を登録し、これを用いて印刷を行うことができる印刷装置が知られている（例えば、特許文献１参照）。
【先行技術文献】
【特許文献】
【０００３】
【特許文献１】特開２００４−２３４１９５号公報
【発明の概要】
【発明が解決しようとする課題】
【０００４】
特許文献１の技術は、印刷装置本体に使用頻度の高い印刷設定を登録するものであり、複数のユーザに対して個別に使用頻度の高い印刷設定を保持することはできなかった。また、ユーザは、登録された印刷設定を用いる際に、印刷装置本体の設置場所まで移動して操作を行う必要があり、ユーザにとって大きな手間を要していた。
【０００５】
本発明は上記に鑑みてなされたもので、ユーザ個別に使用頻度の高い印刷設定を保持し、その印刷設定を容易に使用できる印刷制御装置、印刷システム、およびプリンタドライバプログラムを提供することを目的とする。
【課題を解決するための手段】
【０００６】
上記目的を達成するため、請求項１に係る印刷制御装置は、印刷装置に接続され、印刷対象の画像データを前記印刷装置に出力して印刷を行わせる印刷制御装置であって、ユーザ操作に応じて、前記印刷装置における印刷に用いる各種設定項目の設定を行う印刷設定手段と、前記印刷設定手段で設定した前記各種設定項目の設定内容を含む印刷設定情報を、その設定を行ったユーザごとに印刷設定情報記憶部に記憶させ、前記印刷設定情報記憶部に記憶された前記印刷設定情報のうち、所定期間内に対応するユーザにより所定回数使用された前記印刷設定情報に対して、使用頻度が高いことを示す設定登録フラグを設定して登録印刷設定情報とする登録を行う印刷設定登録制御手段と、表示手段と、前記登録印刷設定情報から印刷に用いる１つをユーザに選択させるための登録印刷設定選択画面を前記表示手段に表示させる表示制御手段とを備え、前記印刷設定手段は、前記登録印刷設定情報のうちの１つを選択して印刷を行う指示信号が入力された場合、当該登録印刷設定情報を用いて前記各種設定項目の設定を行うことを特徴とする。
【０００７】
請求項２に係る印刷制御装置は、請求項１に記載の印刷制御装置において、前記表示制御手段は、前記所定期間内に前記所定回数使用された前記印刷設定情報を登録するか否かをユーザに選択させるための登録確認画面を前記表示手段に表示させ、前記印刷設定登録制御手段は、ユーザ操作に応じて、前記所定期間内に前記所定回数使用された前記印刷設定情報を登録する指示信号が入力された場合に、当該印刷設定情報に使用頻度が高いことを示す設定登録フラグを設定して前記登録印刷設定情報とすることを特徴とする。
【０００８】
請求項３に係る印刷制御装置は、請求項１または２に記載の印刷制御装置において、前記印刷設定登録制御手段は、前記所定期間内に対応するユーザにより前記所定回数未満しか使用されていない前記印刷設定情報を前記印刷設定情報記憶部から消去することを特徴とする。
【０００９】
請求項４に係る印刷システムは、印刷装置と、前記印刷装置に接続され、印刷対象の画像データを前記印刷装置に出力して印刷を行わせる印刷制御装置とを備える印刷システムであって、前記印刷装置は、前記印刷制御装置から入力される、印刷に用いる各種設定項目の設定内容を含む印刷設定情報に基づき前記画像データの印刷を行う印刷手段と、前記印刷設定情報を第１の印刷設定情報記憶部に記憶させ、前記第１の印刷設定情報記憶部に記憶された前記印刷設定情報のうち、第１の所定期間内に第１の所定回数使用された前記印刷設定情報に対して、使用頻度が高いことを示す設定登録フラグを設定して第１の登録印刷設定情報とする登録を行う第１の印刷設定登録制御手段とを備え、前記印刷制御装置は、ユーザ操作に応じて、前記印刷装置における印刷に用いる各種設定項目の設定を行う印刷設定手段と、前記印刷設定手段で設定した前記印刷設定情報を前記画像データとともに前記印刷装置に出力する通信処理手段と、前記印刷設定情報を、その設定を行ったユーザごとに第２の印刷設定情報記憶部に記憶させ、前記第２の印刷設定情報記憶部に記憶された前記印刷設定情報のうち、第２の所定期間内に対応するユーザにより第２の所定回数使用された前記印刷設定情報に対して、使用頻度が高いことを示す設定登録フラグを設定して第２の登録印刷設定情報とする登録を行う第２の印刷設定登録制御手段と、表示手段と、前記第１および第２の登録印刷設定情報から、印刷に用いる１つをユーザに選択させるための登録印刷設定選択画面を前記表示手段に表示させる表示制御手段とを備え、前記印刷設定手段は、ユーザ操作に応じて、前記第１および第２の登録印刷設定情報から１つを選択して印刷を行う指示信号が入力された場合、選択された前記第１および第２の登録印刷設定情報のうちの１つを用いて前記各種設定項目の設定を行うことを特徴とする。
【００１０】
請求項５に係る印刷システムは、請求項４に記載の印刷システムにおいて、前記表示制御手段は、前記第２の所定期間内に前記第２の所定回数使用された前記印刷設定情報を登録するか否かをユーザに選択させるための登録確認画面を前記表示手段に表示させ、前記第２の印刷設定登録制御手段は、ユーザ操作に応じて、前記第２の所定期間内に前記第２の所定回数使用された前記印刷設定情報を登録する指示信号が入力された場合に、当該印刷設定情報に使用頻度が高いことを示す設定登録フラグを設定して前記第２の登録印刷設定情報とすることを特徴とする。
【００１１】
請求項６に係る印刷システムは、請求項４または５に記載の印刷システムにおいて、前記第１の印刷設定登録制御手段は、前記印刷装置において前記第１の所定期間内に前記第１の所定回数未満しか使用されていない前記印刷設定情報を前記第１の印刷設定情報記憶部から消去し、前記第２の印刷設定登録制御手段は、前記第２の所定期間内に対応するユーザにより前記第２の所定回数未満しか使用されていない前記印刷設定情報を前記第２の印刷設定情報記憶部から消去することを特徴とする。
【００１２】
請求項７に係る印刷システムは、請求項４乃至６のいずれか１項に記載の印刷システムにおいて、前記第１の印刷設定登録制御手段は、前記第１の印刷設定情報記憶部に記憶された前記印刷設定情報のうち、前記印刷制御装置により印刷を行ったすべてのユーザの合計で前記第１の所定期間内に前記第１の所定回数使用され、かつ所定数以上のユーザにより使用された前記印刷設定情報に対して、使用頻度が高いことを示す設定登録フラグを設定して第１の登録印刷設定情報とすることを特徴とする。
【００１３】
請求項８に係る印刷システムは、請求項４乃至６のいずれか１項に記載の印刷システムにおいて、前記印刷制御装置を複数備え、前記第１の印刷設定登録制御手段は、前記第１の印刷設定情報記憶部に記憶された前記印刷設定情報のうち、複数の前記印刷制御装置により印刷を行ったすべてのユーザの合計で前記第１の所定期間内に前記第１の所定回数使用され、かつ所定数以上のユーザにより使用された前記印刷設定情報に対して、使用頻度が高いことを示す設定登録フラグを設定して第１の登録印刷設定情報とすることを特徴とする。
【００１４】
請求項９に係る印刷システムは、請求項４乃至６のいずれか１項に記載の印刷システムにおいて、前記印刷制御装置を複数備え、前記第１の印刷設定登録制御手段は、前記第１の印刷設定情報記憶部に記憶された前記印刷設定情報のうち、複数の前記印刷制御装置の合計で前記第１の所定期間内に前記第１の所定回数使用され、かつ所定数以上の前記印刷制御装置で使用された前記印刷設定情報に対して、使用頻度が高いことを示す設定登録フラグを設定して第１の登録印刷設定情報とすることを特徴とする。
【００１５】
請求項１０に係るプリンタドライバプログラムは、印刷装置に接続され、印刷対象の画像データを前記印刷装置に出力して印刷を行わせる印刷制御装置として情報処理装置を機能させるプリンタドライバプログラムであって、ユーザ操作に応じて、前記印刷装置における印刷に用いる各種設定項目の設定を行う印刷設定手段と、前記印刷設定手段で設定した前記各種設定項目の設定内容を含む印刷設定情報を、その設定を行ったユーザごとに印刷設定情報記憶部に記憶させ、前記印刷設定情報記憶部に記憶された前記印刷設定情報のうち、所定期間内に対応するユーザにより所定回数使用された前記印刷設定情報に対して、使用頻度が高いことを示す設定登録フラグを設定して登録印刷設定情報とする登録を行う印刷設定登録制御手段と、前記登録印刷設定情報から印刷に用いる１つをユーザに選択させるための登録印刷設定選択画面を表示部に表示させる表示制御手段として前記情報処理装置を機能させ、前記印刷設定手段は、前記登録印刷設定情報のうちの１つを選択して印刷を行う指示信号が入力された場合、当該登録印刷設定情報を用いて前記各種設定項目の設定を行うことを特徴とする。
【００１６】
請求項１１に係るプリンタドライバプログラムは、請求項１０に記載のプリンタドライバプログラムにおいて、前記表示制御手段は、前記所定期間内に前記所定回数使用された前記印刷設定情報を登録するか否かをユーザに選択させるための登録確認画面を前記表示部に表示させ、前記印刷設定登録制御手段は、ユーザ操作に応じて、前記所定期間内に前記所定回数使用された前記印刷設定情報を登録する指示信号が入力された場合に、当該印刷設定情報に使用頻度が高いことを示す設定登録フラグを設定して前記登録印刷設定情報とすることを特徴とする。
【００１７】
請求項１２に係るプリンタドライバプログラムは、請求項１０または１１に記載のプリンタドライバプログラムにおいて、前記印刷設定登録制御手段は、前記所定期間内に対応するユーザにより前記所定回数未満しか使用されていない前記印刷設定情報を前記印刷設定情報記憶部から消去することを特徴とする。
【００１８】
請求項１３に係るプリンタドライバプログラムは、請求項１０乃至１２のいずれか１項に記載のプリンタドライバプログラムにおいて、前記表示制御手段は、前記印刷装置に登録された前記印刷設定情報である印刷装置側登録印刷設定情報、および前記登録印刷設定情報から印刷に用いる１つをユーザに選択させるための前記登録印刷設定選択画面を前記情報処理装置の表示部に表示させ、前記印刷設定手段は、ユーザ操作に応じて、前記印刷装置側登録印刷設定情報および前記登録印刷設定情報のうちの１つを選択して印刷を行う指示信号が入力された場合、選択された前記印刷装置側登録印刷設定情報および前記登録印刷設定情報のうちの１つを用いて前記各種設定項目の設定を行うことを特徴とする。
【発明の効果】
【００１９】
本発明によれば、ユーザ個別に使用頻度の高い印刷設定を保持し、その印刷設定を容易に使用できる印刷制御装置、印刷システム、およびプリンタドライバプログラムを提供することができる。
【図面の簡単な説明】
【００２０】
【図１】本発明の実施の形態に係る印刷システムの概略構成を示すブロック図である。
【図２】図１に示す印刷システムの印刷制御装置の構成を示すブロック図である。
【図３】図２に示す印刷制御装置の印刷設定情報記憶部に記憶される印刷設定履歴情報の内容を示す図である。
【図４】図１に示す印刷システムの印刷装置の構成を示すブロック図である。
【図５】図４に示す印刷装置の印刷設定情報記憶部に記憶される印刷設定履歴情報の内容を示す図である。
【図６】条件設定画面の一例を示す図である。
【図７】図２に示す印刷制御装置で印刷設定情報を登録する処理の手順を示すフローチャートである。
【図８】印刷設定画面の一例を示す図である。
【図９】プロパティ画面の一例を示す図である。
【図１０】登録確認画面の一例を示す図である。
【図１１】図４に示す印刷装置で印刷設定情報を登録する処理の手順を示すフローチャートである。
【図１２】登録印刷設定選択画面の一例を示す図である。
【図１３】設定内容確認画面の一例を示す図である。
【発明を実施するための形態】
【００２１】
以下、本発明の実施の形態について、図面を参照して説明する。
【００２２】
図１は、本発明の実施の形態に係る印刷システムの概略構成を示すブロック図である。図１に示すように本実施の形態に係る印刷システムは、複数の印刷制御装置１Ａ，１Ｂ，…，１Ｎと、印刷装置２とを備え、印刷制御装置１Ａ，１Ｂ，…，１Ｎと印刷装置２とは、ＬＡＮ（Local Area Network）等のネットワーク３を介して接続されている。
【００２３】
図２は、印刷制御装置１Ａの構成を示すブロック図である。なお、他の印刷制御装置１Ｂ〜１Ｎも印刷制御装置１Ａと同様の構成であるため説明を省略する。
【００２４】
印刷制御装置１Ａは、パーソナルコンピュータ（ＰＣ）等の情報処理装置から構成され、印刷装置２に対応して開発されたプリンタドライバプログラムがインストールされている。このプリンタドライバプログラムを図示しないＣＰＵ（Central Processing Unit）が実行することにより、プリンタドライバ部１０が形成される。
【００２５】
プリンタドライバ部１０は、印刷設定部１１と、印刷ジョブ生成部１２と、印刷設定登録制御部１３と、表示制御部１４とを備える。
【００２６】
印刷設定部１１は、ユーザ操作に応じて、印刷装置２における印刷時の出力用紙サイズ、印刷部数、用紙の方向等の各種設定項目の設定を行う。
【００２７】
印刷ジョブ生成部１２は、図示しないアプリケーションプログラム等で作成された印刷対象の画像データと、印刷設定部１１で設定された各種設定項目の設定内容を含む印刷設定情報とに基づいて、印刷装置２に送信する印刷ジョブを生成する。
【００２８】
印刷設定登録制御部１３は、印刷設定部１１で設定された印刷設定情報を、その設定を行ったユーザごとに、その印刷設定情報を最初に用いた日付を示す初期日付情報等と対応させて後述の印刷設定情報記憶部１５に記憶する。また、印刷設定登録制御部１３は、印刷設定情報記憶部１５に記憶された印刷設定情報のうち、その印刷設定情報に対応するユーザの使用頻度が所定頻度以上の印刷設定情報に対して、使用頻度が高いことを示す設定登録フラグ「Ｔｒｕｅ」を設定して登録印刷設定情報とする登録処理を行う。
【００２９】
表示制御部１４は、後述の表示部１６の表示制御を行う。
【００３０】
また、印刷制御装置１Ａは、印刷設定情報等を含む印刷設定履歴情報を記憶する印刷設定情報記憶部１５と、液晶ディスプレイ等からなる表示部１６と、キーボードやマウス等からなる入力部１７と、ネットワーク３を介して印刷装置２に接続するための通信処理部１８とを備える。
【００３１】
図３は、印刷設定情報記憶部１５に記憶される印刷設定履歴情報の内容を示す図である。図３に示すように、印刷設定情報記憶部１５は、印刷設定部１１で設定され印刷に使用した印刷設定情報と、初期日付情報と、初期日付以降にその印刷設定情報を使用した回数を示す使用回数情報と、登録印刷設定情報として登録されたか否かを示す設定登録フラグとを対応させて、印刷設定履歴情報として記憶している。図３は、あるユーザの印刷設定履歴情報を示しており、印刷制御装置１Ａを使用する各ユーザについて同様の内容がユーザ名情報と対応させて印刷設定情報記憶部１５に記憶される。なお、印刷設定情報記憶部１５は、リレーショナルデータベース形式、.ｉｎｉファイル形式等で構成される。
【００３２】
印刷設定情報は、印刷対象の原稿サイズ、出力用紙サイズ、片面印刷か両面印刷かを示す印刷方法、印刷部数等の各種設定項目の設定内容を含む。設定登録フラグは、初期値が「Ｆａｌｓｅ」であり、その印刷設定情報が対応するユーザにより初期日付以降の所定期間（第２の所定期間）内に所定回数（第２の所定回数）使用された場合、使用頻度が高いことを示す「Ｔｒｕｅ」とされ、登録印刷設定情報としてユーザが呼び出し可能な状態となる。なお、設定登録フラグが「Ｔｒｕｅ」である登録印刷設定情報については、使用回数をカウントアップする必要がないため、使用回数情報が消去される。
【００３３】
図４は、印刷装置２の構成を示すブロック図である。印刷装置２は、ＣＰＵ、メモリ等から構成される制御部２０を備えており、ＣＰＵがメモリに格納されたプログラムに応じた処理を行うこと等により、印刷制御部２１、印刷設定登録制御部２２が構成される。
【００３４】
印刷制御部２１は、印刷制御装置１Ａ〜１Ｎから入力される印刷ジョブにおける印刷設定情報と画像データとに基づいて印刷を行うように後述の印刷部２３を制御する。
【００３５】
印刷設定登録制御部２２は、印刷制御装置１Ａ〜１Ｎによる印刷に用いられた印刷設定情報を、初期日付情報等と対応させて後述の印刷設定情報記憶部２４に記憶する。また、印刷設定登録制御部２２は、印刷設定情報記憶部２４に記憶された印刷設定情報のうち、所定の条件を満たす印刷設定情報に対して、使用頻度が高いことを示す設定登録フラグ「Ｔｒｕｅ」を設定して登録印刷設定情報とする登録処理を行う。
【００３６】
また、印刷装置２は、インクジェット方式等の印刷機構を有し、印刷対象の画像を印刷用紙に印刷する印刷部２３と、印刷設定情報等を含む印刷設定履歴情報を記憶する印刷設定情報記憶部２４と、各種操作キーやタッチパネル（いずれも図示せず）等を有し、ユーザの操作を受け付ける操作パネル部２５と、ネットワーク３を介して印刷制御装置１Ａ〜１Ｎに接続するための通信処理部２６とを備える。
【００３７】
図５は、印刷設定情報記憶部２４に記憶される印刷設定履歴情報の内容を示す図である。図５に示すように、印刷設定情報記憶部２４は、印刷に使用した印刷設定情報と、初期日付情報と、使用回数情報と、設定登録フラグとに加えて、印刷制御装置１Ａ〜１Ｎを使用して印刷を行うユーザを識別するためのユーザ名情報を記憶している。ユーザ名情報は、印刷制御装置１Ａ〜１Ｎに予め登録されているものを用いる。
【００３８】
図５における使用回数情報は、すべての印刷制御装置１Ａ〜１Ｎにおけるすべてのユーザによる各印刷設定情報の使用回数の合計を示す。また、印刷設定情報記憶部２４には、各印刷設定情報に対応させて、その印刷設定情報を使用したすべてのユーザに対応するユーザ名情報を記憶する。
【００３９】
設定登録フラグは、すべての印刷制御装置１Ａ〜１Ｎにおけるすべてのユーザの合計で、初期日付以降の所定期間（第１の所定期間）内に所定回数（第１の所定回数）使用され、かつ所定数（例えば２人）以上のユーザにより使用された印刷設定情報に対して「Ｔｒｕｅ」とされる。なお、設定登録フラグが「Ｔｒｕｅ」である登録印刷設定情報については、使用回数情報およびユーザ名情報が消去される。
【００４０】
次に、本実施の形態に係る印刷システムの動作について説明する。まず、印刷制御装置１Ａの動作について説明する。他の印刷制御装置１Ｂ〜１Ｎの動作も印刷制御装置１Ａと同様である。
【００４１】
印刷制御装置１Ａにおいては、印刷時に使用した印刷設定情報を自動で登録するか、任意で登録するか、登録しないかを選択して予め設定することができる。
【００４２】
ユーザ操作に応じて入力部１７から印刷設定情報の登録を行うための条件設定画面を表示する指示信号が入力されると、表示制御部１４は、図６に示すような条件設定画面３０を表示部１６に表示させる。
【００４３】
図６に示すように条件設定画面３０では、使用頻度の高い印刷設定情報を自動で登録するか、任意で登録するか、登録しないかを選択できるようになっている。また、印刷設定情報の使用頻度が高いか否かを判断する条件である所定期間（第２の所定期間）および所定回数（第２の所定回数）を設定することができるようになっている。図６の例では、７日間に３回以上使用された印刷設定情報を使用頻度が高いと判断するように設定される。以下の説明では、印刷制御装置１Ａを使用しているユーザにおいて、印刷設定情報の自動登録または任意登録が設定されている場合には、使用頻度を判断するための所定期間が７日間、所定回数が３回と設定されているものとする。
【００４４】
次に、印刷時において印刷制御装置１Ａで印刷設定情報を登録する処理について、図７に示すフローチャートを参照して説明する。
【００４５】
印刷制御装置１Ａにおいてアプリケーションプログラムの起動中にユーザ操作に応じて入力部１７から印刷要求信号が入力されると、表示制御部１４は、図８に示すような印刷設定画面４０を表示部１６に表示させる。この印刷設定画面４０上でユーザは、印刷部数等の設定項目の設定操作を行うことができる。
【００４６】
また、ユーザの入力部１７の操作により、印刷設定画面４０の「プロパティ」ボタン４１が選択されると、表示制御部１４は、各種設定項目を設定するためのプロパティ画面を表示部１６に表示させる。
【００４７】
ここで表示されるプロパティ画面の一例を図９に示す。このプロパティ画面５０上では、ユーザは、原稿サイズ、出力用紙サイズ、印刷方法、印刷部数、印刷の向き等の各種設定項目の設定操作を行うことができる。
【００４８】
印刷設定部１１は、印刷設定画面４０およびプロパティ画面５０におけるユーザの入力部１７の操作による各種設定項目の入力を受け付け、入力された内容に応じて各種設定項目の設定を行う。
【００４９】
そして、ユーザの入力部１７の操作により印刷設定画面４０における印刷を指示するための「ＯＫ」ボタン４２が選択されて印刷指示信号が入力されると、図７のステップＳ１０において、印刷設定登録制御部１３は、印刷制御装置１Ａを使用しているユーザ（ユーザＡとする）により印刷設定情報を登録しないように予め設定されているか否かを判断する。
【００５０】
印刷設定情報を登録しない設定である場合（ステップＳ１０：ＹＥＳ）、印刷設定登録制御部１３は、印刷設定情報の印刷設定情報記憶部１５への記憶は行わずに処理を終了する。その後、印刷ジョブ生成部１２は、アプリケーションプログラム上で作成された印刷対象の画像データと、印刷設定部１１で設定された各種設定項目の設定内容を含む印刷設定情報とに基づいて印刷ジョブを生成し、これを通信処理部１８を介して印刷装置２に送信する。印刷ジョブには、印刷制御装置１Ａに固有の端末識別情報、およびユーザ固有のユーザ名情報も含まれる。
【００５１】
印刷設定情報を登録しない設定でない場合（ステップＳ１０：ＮＯ）、つまり印刷設定情報の自動登録または任意登録が設定されている場合、ステップＳ２０において、印刷設定登録制御部１３は、印刷設定情報記憶部１５に記憶されているユーザＡに対応する印刷設定履歴情報の設定登録フラグが「Ｔｒｕｅ」である登録印刷設定情報のなかに、各種設定項目の設定内容が今回の印刷で用いる印刷設定情報と同じものがあるか否かを判断する。
【００５２】
同じ設定内容の登録印刷設定情報がある場合（ステップＳ２０：ＹＥＳ）、そのまま処理を終了し、その後、印刷ジョブ生成部１２により今回の印刷設定情報に基づく印刷ジョブの生成およびその印刷装置２への送信が行われる。
【００５３】
同じ設定内容の登録印刷設定情報がない場合（ステップＳ２０：ＮＯ）、ステップＳ３０において、印刷設定登録制御部１３は、図示しないタイマから現在日付情報を取得し、ユーザＡに対応する印刷設定履歴情報の設定登録フラグが「Ｆａｌｓｅ」であり、初期日付から７日間が経過している印刷設定情報およびそれに対応する初期日付情報等を印刷設定情報記憶部１５から消去する。
【００５４】
次いで、ステップＳ４０において、印刷設定登録制御部１３は、ユーザＡに対応する印刷設定履歴情報の設定登録フラグが「Ｆａｌｓｅ」である印刷設定情報のなかに、各種設定項目の設定内容が今回の印刷で用いる印刷設定情報と同じものがあるか否かを判断する。同じ設定内容の印刷設定情報がある場合（ステップＳ４０：ＹＥＳ）、ステップＳ５０に進み、同じ設定内容の印刷設定情報がない場合（ステップＳ４０：ＮＯ）、ステップＳ１１０に進む。
【００５５】
ステップＳ５０では、印刷設定登録制御部１３は、印刷設定情報記憶部１５に記憶されているユーザＡに対応する印刷設定履歴情報の、今回使用する印刷設定情報と同じ設定内容の印刷設定情報に対応する使用回数情報を１つカウントアップする。
【００５６】
次いで、ステップＳ６０において、印刷設定登録制御部１３は、ステップＳ５０でカウントアップした記憶済みの印刷設定情報の使用回数が３回に達したか否かを判断する。達した場合（ステップＳ６０：ＹＥＳ）、ステップＳ７０に進み、達していない場合（ステップＳ６０：ＮＯ）、そのまま処理を終了し、その後、印刷ジョブ生成部１２により今回の印刷設定情報に基づく印刷ジョブの生成およびその印刷装置２への送信が行われる。
【００５７】
ステップＳ７０では、印刷設定登録制御部１３は、ユーザＡにより印刷設定情報の自動登録が設定されているか否かを判断する。自動登録が設定されている場合（ステップＳ７０：ＹＥＳ）、ステップＳ８０に進み、自動登録が設定されていない場合（ステップＳ７０：ＮＯ）、つまり任意登録が設定されている場合、ステップＳ９０に進む。
【００５８】
ステップＳ８０では、印刷設定登録制御部１３は、ステップＳ５０でカウントアップした記憶済みの印刷設定情報に対応する設定登録フラグを「Ｔｒｕｅ」として登録印刷設定情報とするとともに、その使用回数情報を消去する処理を行う。その後、印刷ジョブ生成部１２により今回の印刷設定情報に基づく印刷ジョブの生成およびその印刷装置２への送信が行われる。
【００５９】
任意登録が設定されている場合（ステップＳ７０：ＮＯ）、ステップＳ９０において、表示制御部１４は、図１０に示すような、印刷設定情報を登録するか否かをユーザに選択させるための登録確認画面６０を表示部１６に表示させる。登録確認画面６０には、登録を行うことを選択するための「ＯＫ」ボタン６１と、登録を行わないことを選択するための「キャンセル」ボタン６２とが表示される。
【００６０】
次いで、ステップＳ１００において、印刷設定登録制御部１３は、ユーザ操作により「ＯＫ」ボタン６１を選択する信号が入力されたか否かを判断する。「ＯＫ」ボタン６１が選択された場合（ステップＳ１００：ＹＥＳ）、ステップＳ８０に進み、「キャンセル」ボタン６２が選択された場合（ステップＳ１００：ＮＯ）、そのまま処理を終了し、その後、印刷ジョブ生成部１２により今回の印刷設定情報に基づく印刷ジョブの生成およびその印刷装置２への送信が行われる。
【００６１】
上記ステップＳ４０において、ユーザＡに対応する印刷設定履歴情報において今回と同じ設定内容の印刷設定情報がない場合（ステップＳ４０：ＮＯ）、ステップＳ１１０において、印刷設定登録制御部１３は、今回の印刷設定情報を印刷設定情報記憶部１５に記憶する。この際、印刷設定登録制御部１３は、タイマから現在日付情報を取得してこれを初期日付情報とし、使用回数情報を１とし、設定登録フラグを初期値である「Ｆａｌｓｅ」として、今回の印刷設定情報に対応させて、ユーザＡに対応する印刷設定履歴情報に追加する。
【００６２】
以上の処理により、印刷制御装置１ＡからのユーザＡによる印刷に使用された印刷設定情報は印刷設定情報記憶部１５に記憶され、その中でユーザＡによる使用頻度が高い印刷設定情報（上記の例では７日間に３回使用された印刷設定情報）は、ユーザＡに対応する印刷設定履歴情報において設定登録フラグが「Ｔｒｕｅ」とされ、登録印刷設定情報としてユーザＡが呼び出し可能な状態となる。
【００６３】
次に、印刷装置２の動作について説明する。
【００６４】
印刷装置２においては、ユーザが操作パネル部２５を操作することにより、各印刷制御装置１Ａ〜１Ｎからの印刷指示による印刷時に使用した印刷設定情報を自動で登録するか、登録しないかを選択して予め設定することができるようになっている。また、印刷設定情報の使用頻度が高いか否かを判断するための所定期間（第１の所定期間）および所定回数（第１の所定回数）も操作パネル部２５の操作により予め設定できるようになっている。
【００６５】
また、印刷装置２では、後述のように、使用頻度が所定頻度以上であり、かつ所定数以上のユーザにより使用された印刷設定情報を、登録印刷設定情報としてユーザが呼び出し可能な状態とするが、この登録に必要なユーザの所定数も、操作パネル部２５の操作により予め設定できるようになっている。
【００６６】
印刷時において印刷装置２で印刷設定情報を登録する処理について、図１１に示すフローチャートを参照して説明する。以下の説明では、印刷装置２で印刷設定情報の自動登録が設定されている場合には、使用頻度を判断するための所定期間が７日間、所定回数が５回、登録に必要なユーザの所定数が２人と設定されているものとする。
【００６７】
印刷制御装置１Ａ〜１Ｎのいずれかから印刷ジョブが通信処理部２６を介して入力されると、ステップＳ２１０において、印刷設定登録制御部２２は、操作印刷設定情報を登録しないように、ユーザの操作パネル部２５の操作により予め設定されているか否かを判断する。
【００６８】
印刷設定情報を登録しない設定である場合（ステップＳ２１０：ＹＥＳ）、印刷設定登録制御部２２は、印刷設定情報の印刷設定情報記憶部２４への記憶は行わずに処理を終了する。その後、印刷制御部２１は、入力された印刷ジョブにおける印刷設定情報と画像データとに基づいて印刷を行うように印刷部２３を制御する。
【００６９】
印刷設定情報を登録しない設定でない場合（ステップＳ２１０：ＮＯ）、つまり印刷設定情報の自動登録が設定されている場合、ステップＳ２２０において、印刷設定登録制御部２２は、印刷設定情報記憶部２４に記憶されている印刷設定履歴情報において設定登録フラグが「Ｔｒｕｅ」である登録印刷設定情報のなかに、各種設定項目の設定内容が今回の印刷ジョブにおける印刷設定情報と同じものがあるか否かを判断する。
【００７０】
同じ設定内容の登録印刷設定情報がある場合（ステップＳ２２０：ＹＥＳ）、そのまま処理を終了し、その後、印刷制御部２１により、今回入力された印刷ジョブにおける印刷設定情報と画像データとに基づく印刷制御が行われる。
【００７１】
同じ設定内容の登録印刷設定情報がない場合（ステップＳ２２０：ＮＯ）、ステップＳ２３０において、印刷設定登録制御部２２は、図示しないタイマから現在日付情報を取得し、設定登録フラグが「Ｆａｌｓｅ」であり、初期日付から７日間が経過している印刷設定情報およびそれに対応する初期日付情報等を印刷設定情報記憶部２４の印刷設定履歴情報から消去する。
【００７２】
次いで、ステップＳ２４０において、印刷設定登録制御部２２は、印刷設定情報記憶部２４に記憶されている印刷設定履歴情報の設定登録フラグが「Ｆａｌｓｅ」である印刷設定情報のなかに、各種設定項目の設定内容が今回の印刷ジョブにおける印刷設定情報と同じものがあるか否かを判断する。同じ設定内容の印刷設定情報がある場合（ステップＳ２４０：ＹＥＳ）、ステップＳ２５０に進み、同じ設定内容の印刷設定情報がない場合（ステップＳ２４０：ＮＯ）、ステップＳ３１０に進む。
【００７３】
ステップＳ２５０では、印刷設定登録制御部２２は、印刷設定情報記憶部２４に記憶されている印刷設定履歴情報の、今回の印刷ジョブにおける印刷設定情報と同じ設定内容の印刷設定情報に対応する使用回数情報を１つカウントアップする。使用回数情報は、印刷ジョブの送信元が印刷制御装置１Ａ〜１Ｎのいずれであっても、また、ユーザが誰であっても、設定内容が同じ印刷設定情報が印刷装置２に入力されるとカウントアップされる。
【００７４】
次いで、ステップＳ２６０において、印刷設定登録制御部２２は、ステップＳ２５０でカウントアップした記憶済みの印刷設定情報に対応して、今回の印刷ジョブにおけるユーザ名情報と同じユーザ名情報が記憶されているか否かを判断する。同じユーザ名情報が記憶されている場合（ステップＳ２６０：ＹＥＳ）、ステップＳ２８０に進む。
【００７５】
同じユーザ名情報が記憶されていない場合（ステップＳ２６０：ＮＯ）、ステップＳ２７０において、印刷設定登録制御部２２は、ステップＳ２５０でカウントアップした記憶済みの印刷設定情報に対応させて、今回の印刷ジョブにおけるユーザ名情報を追加する。
【００７６】
ステップＳ２８０では、印刷設定登録制御部２２は、ステップＳ２５０でカウントアップした記憶済みの印刷設定情報の使用回数が５回以上か否かを判断する。５回以上である場合（ステップＳ２８０：ＹＥＳ）、ステップＳ２９０に進み、５回以上でない場合（ステップＳ２８０：ＮＯ）、そのまま処理を終了し、その後、印刷制御部２１により、今回入力された印刷ジョブにおける印刷設定情報と画像データとに基づく印刷制御が行われる。
【００７７】
ステップＳ２９０では、印刷設定登録制御部２２は、ステップＳ２５０でカウントアップし、ステップＳ２７０でユーザ名情報を追加した記憶済みの印刷設定情報に対応したユーザ名情報が２つに達したか否かを判断する。達した場合（ステップＳ２９０：ＹＥＳ）、ステップＳ３００に進み、達していない場合（ステップＳ２９０：ＮＯ）、そのまま処理を終了し、その後、印刷制御部２１により、今回入力された印刷ジョブにおける印刷設定情報と画像データとに基づく印刷制御が行われる。
【００７８】
ステップＳ３００では、印刷設定登録制御部２２は、ステップＳ２５０でカウントアップした記憶済みの印刷設定情報に対応する設定登録フラグを「Ｔｒｕｅ」として登録印刷設定情報とするとともに、その使用回数情報およびユーザ名情報を消去する処理を行う。その後、印刷制御部２１により、今回入力された印刷ジョブにおける印刷設定情報と画像データとに基づく印刷制御が行われる。
【００７９】
上記ステップＳ２４０において、今回の印刷ジョブにおける印刷設定情報と同じ設定内容の印刷設定情報が記憶されていない場合（ステップＳ２４０：ＮＯ）、ステップＳ３１０において、印刷設定登録制御部２２は、今回の印刷設定情報を印刷設定情報記憶部２４に記憶する。この際、印刷設定登録制御部２２は、タイマから現在日付情報を取得してこれを初期日付情報とし、使用回数情報を１とし、設定登録フラグを初期値である「Ｆａｌｓｅ」として、今回の印刷ジョブにおけるユーザ名情報とともに、今回の印刷設定情報に対応させて印刷設定情報記憶部２４の印刷設定履歴情報に追加する。
【００８０】
以上の処理により、印刷装置２で印刷に使用された印刷設定情報は印刷設定情報記憶部２４に記憶され、その中で使用頻度が高く、かつ所定数以上のユーザにより使用された印刷設定情報（上記の例では７日間に５回使用され、かつ２人以上のユーザにより使用された印刷設定情報）は、設定登録フラグが「Ｔｒｕｅ」とされ、登録印刷設定情報としてすべてのユーザが呼び出し可能な状態となる。
【００８１】
本実施の形態の印刷装置２では、使用頻度が所定頻度に達しても、所定数未満のユーザでしか使用されていない印刷設定情報の設定登録フラグは「Ｔｒｕｅ」としないことで、特定の少数のユーザしか使用していないような印刷設定情報は登録しないようにしている。
【００８２】
上述のように、本実施の形態に係る印刷システムでは、印刷制御装置１Ａ〜１Ｎにおいては、自装置で印刷時に設定した印刷設定情報がユーザごとに印刷設定情報記憶部１５に記憶され、その中で対応するユーザによる使用頻度が高い印刷設定情報は、設定登録フラグが「Ｔｒｕｅ」とされ、登録印刷設定情報（第２の登録印刷設定情報）として対応するユーザが呼び出して使用可能な状態となる。また、印刷装置２においては、印刷制御装置１Ａ〜１Ｎからの印刷指示による印刷に用いた印刷設定情報が印刷設定情報記憶部２４に記憶され、その中で使用頻度が高く、かつ所定数以上のユーザにより使用された印刷設定情報は、設定登録フラグが「Ｔｒｕｅ」とされ、登録印刷設定情報（第１の登録印刷設定情報）としてすべてのユーザが呼び出して使用可能な状態となる。
【００８３】
次に、登録印刷設定情報を使用して印刷を行う場合の動作について説明する。
【００８４】
印刷制御装置１Ａから印刷指示を行う場合について説明する。印刷制御装置１Ａにおいてアプリケーションプログラムの起動中にユーザ操作に応じて入力部１７から印刷要求信号が入力されると、表示制御部１４は、図８に示した印刷設定画面４０を表示部１６に表示させる。印刷設定画面４０には、印刷制御装置１Ａの印刷設定情報記憶部１５に記憶されている登録印刷設定情報を用いることを選択するためのユーザ側登録印刷設定選択ボタン４３と、印刷装置２の印刷設定情報記憶部２４に記憶されている登録印刷設定情報を用いることを選択するためのプリンタ側登録印刷設定選択ボタン４４とが表示される。
【００８５】
ユーザの入力部１７の操作によりユーザ側登録印刷設定選択ボタン４３を選択する信号が入力されると、表示制御部１４は、印刷設定情報記憶部１５に記憶されている、印刷制御装置１Ａを使用しているユーザに対応する登録印刷設定情報から印刷に用いる１つを選択させるための登録印刷設定選択画面を表示部１６に表示させる。プリンタ側登録印刷設定選択ボタン４４を選択する信号が入力されると、表示制御部１４は、印刷装置２の印刷設定情報記憶部２４に記憶されている登録印刷設定情報から印刷に用いる１つを選択させるための登録印刷設定選択画面を表示部１６に表示させる。
【００８６】
ここで表示される登録印刷設定選択画面の一例を図１２に示す。図１２に示すように登録印刷設定選択画面７０には、登録印刷設定選択ボタン群７１が表示される。登録印刷設定選択ボタン群７１には、印刷設定画面４０においてユーザ側登録印刷設定選択ボタン４３が選択された場合は、印刷制御装置１Ａの印刷設定情報記憶部１５に記憶されている、印刷制御装置１Ａを使用しているユーザに対応する登録印刷設定情報（第２の登録印刷設定情報）の数に応じた数のボタンが表示され、プリンタ側登録印刷設定選択ボタン４４が選択された場合は、印刷装置２の印刷設定情報記憶部２４に記憶されている登録印刷設定情報（第１の登録印刷設定情報）の数に応じた数のボタンが表示される。
【００８７】
例えば、ユーザ側登録印刷設定選択ボタン４３が選択され、印刷設定情報記憶部１５に記憶されている、印刷制御装置１Ａを使用しているユーザに対応する登録印刷設定情報が５つである場合は、図１２に示すように、登録印刷設定選択画面７０には、５つの登録印刷設定情報に対応して、登録印刷設定選択ボタン群７１には５つのボタンが表示される。
【００８８】
ユーザの入力部１７の操作により登録印刷設定選択ボタン群７１のうちの１つのボタンを選択して「ＯＫ」ボタン７２を選択する信号が入力されると、表示制御部１４は、登録印刷設定選択ボタン群７１から選択されたボタンに対応する登録印刷設定情報を印刷設定情報記憶部１５または印刷装置２の印刷設定情報記憶部２４から取得し、図１３に示すような、当該登録印刷設定情報における各種設定項目の設定内容を表示する設定内容確認画面８０を表示部１６に表示させる。
【００８９】
設定内容確認画面８０において、設定内容を確認したユーザの入力部１７の操作に応じて「ＯＫ」ボタン８１を選択する信号が入力されると、印刷設定部１１は、選択された登録印刷設定情報を用いて印刷設定を行い、印刷ジョブ生成部１２に印刷ジョブを生成させる。
【００９０】
そして、印刷ジョブ生成部１２は、生成した印刷ジョブを通信処理部１８を介して印刷装置２に送信する。印刷装置２の印刷制御部２１は、印刷制御装置１Ａから受信した印刷ジョブに基づいて印刷部２３に印刷を行わせる。
【００９１】
上記説明のように本実施の形態によれば、印刷制御装置１Ａ〜１Ｎのそれぞれにおいて、ユーザごとに使用頻度が高い印刷設定情報を登録するので、ユーザ個別に使用頻度の高い印刷設定情報を保持し、容易に呼び出して印刷に用いることができる。また、印刷装置２において、すべての印刷制御装置１Ａ〜１Ｎを用いるユーザの合計で使用頻度が高く、かつ所定数以上のユーザにより使用された印刷設定情報を登録するので、ユーザは、印刷制御装置１Ａ〜１Ｎに登録されたユーザ個別の登録印刷設定情報に加えて、印刷装置２に登録された登録印刷設定情報を容易に呼び出して印刷に用いることができる。
【００９２】
なお、上記実施の形態では、印刷装置２において、使用頻度が所定頻度以上であることに加えて、所定数以上のユーザにより使用された印刷設定情報を登録したが、登録に必要なユーザの所定数の条件を設けず、使用頻度が所定頻度以上である印刷設定情報をすべて登録して呼び出し可能としてもよい。また、印刷装置２に接続される印刷制御装置が１つであってもよい。
【００９３】
また、印刷装置２において、印刷設定情報記憶部２４に記憶する印刷設定履歴情報のユーザ名情報を端末識別情報に置き換え、登録に必要なユーザ数の条件を、印刷制御装置数の条件に置き換えてもよい。すなわち、印刷装置２において、使用頻度が所定頻度以上であることに加えて、所定数（例えば２つ）以上の印刷制御装置で使用された印刷設定情報を登録して呼び出し可能となるようにしてもよい。
【符号の説明】
【００９４】
１Ａ，１Ｂ，…，１Ｎ  印刷制御装置
２  印刷装置
３  ネットワーク
１０  プリンタドライバ部
１１  印刷設定部
１２  印刷ジョブ生成部
１３  印刷設定登録制御部
１４  表示制御部
１５  印刷設定情報記憶部
１６  表示部
１７  入力部
１８  通信処理部
２０  制御部
２１  印刷制御部
２２  印刷設定登録制御部
２３  印刷部
２４  印刷設定情報記憶部
２５  操作パネル部
２６  通信処理部
３０  条件設定画面
４０  印刷設定画面
５０  プロパティ画面
６０  登録確認画面
７０  登録印刷設定選択画面
８０  設定内容確認画面
【図１】
2010181932.tif 000003
【図２】
2010181932.tif 000004
【図３】
2010181932.tif 000005
【図４】
2010181932.tif 000006
【図５】
2010181932.tif 000007
【図６】
2010181932.tif 000008
【図７】
2010181932.tif 000009
【図８】
2010181932.tif 000010
【図９】
2010181932.tif 000011
【図１０】
2010181932.tif 000012
【図１１】
2010181932.tif 000013
【図１２】
2010181932.tif 000014
【図１３】
2010181932.tif 000015